(57)【特許請求の範囲】
【請求項１】
複数の回線に対する測定を並行して行えるように多チャネル化され、チャネル毎に予め設定された測定項目およびパラメータにしたがって測定を行い、チャネル毎に測定結果を出力する測定部（２１）と、
ポインティングデバイスを含む操作部（２２）と、
表示器（２４）と、
前記測定部が行う測定に必要なパラメータを設定するための設定画面と、測定の結果を表すための測定結果画面とを含む複数種の画面のうちのいずれかで、前記操作部のポインティングデバイスの操作によって選択されたチャネルと、該選択されたチャネルについて前記ポインティングデバイスによって選択された測定項目とで決まる所望画面を、前記表示器に選択的に表示させる表示制御手段（２８）とを備えた測定装置において、
前記操作部には、チャネルと測定項目の情報を含み表示画面の種別を表す画面種別情報の記憶と読み出しとを行うための複数の特定キー（２３ａ〜２３ｃ）が含まれており、
前記表示制御手段は、
前記画面種別情報を記憶するためのメモリ（３０）と、
前記設定画面と測定結果画面とを含む複数種の画面のうちのいずれかで、且つチャネルと測定項目とで決まる任意の画面が表示されている状態で、前記特定キーのいずれかに対して所定時間以上の押し操作がなされたときに前記表示器に表示されている画面の画面種別情報を、該操作された特定キーに対応する前記メモリのアドレスに記憶する画面種別記憶手段（３１）と、
前記設定画面と測定結果画面とを含む複数種の画面のうちのいずれかで、且つチャネルと測定項目とで決まる任意の画面が表示されている状態で、前記特定キーのいずれかに対して前記所定時間未満の押し操作がなされたとき、該操作された特定キーに対応する前記メモリのアドレスに記憶されている画面種別情報を読み出す画面種別読出手段（３２）とを有し、
前記画面種別読出手段が読み出した画面種別情報の種別を判定し、該種別が設定画面を示すときには、該読み出した画面種別情報に含まれるチャネルと測定項目について前記測定部に設定されている最新のパラメータを取得し、これを表示内容とする設定画面を前記表示器に表示させ、前記種別が測定結果画面を示すときには、該読み出した画面種別情報に含まれるチャネルと測定項目について前記測定部が出力する最新の測定結果を取得し、これを表示内容とする測定結果画面を前記表示器に表示させるように構成されていることを特徴とする測定装置。
【発明の詳細な説明】
【０００１】
【発明の属する技術分野】
本発明は、表示器にパラメータ設定用の画面や測定結果の画面を選択的に表示する測定装置において、簡単な操作で所望の画面を表示させることができるようにするための技術に関する。
【０００２】
【従来の技術】
例えば、ディジタル回線やネットワークの品質を測定する測定装置では、複数の回線に対して複数種類の測定を並行して行えるように、多チャネル化された測定部を有し、この測定部に対する測定項目の指定およびその測定項目に必要なパターンの設定を各チャネル毎に行い、各チャネルの測定結果を表示器に表示している。
【０００３】
しかし、測定装置に備えられている表示器に表示できる情報は限られているため、全てのチャネルについて、その測定項目、パラメータ、測定結果を一画面上で表示することは困難である。
【０００４】
このため、上記のように多チャネルで多機能化された従来の測定装置では、パーソナルコンピュータ等で使用されている階層化構造とマウス等のポインティングデバイスを用いて、パラメータを設定するための設定画面や測定結果を表示するための測定結果画面等を各チャネル毎に選択的に表示できるようにしている。
【０００５】
【発明が解決しようとする課題】
しかしながら、前記のようにポインティングデバイスを用いて所望の画面を表示させる従来の画面切替方式では、例えば測定部の所望のチャネルの現在のパラメータを確認する場合、現在表示されている画面を閉じ、設定画面を指定し、所望のチャネルを選択し、さらに測定項目を選択するという操作が必要となり、他の画面からこの所望のチャネルのパラメータを頻繁に参照したり変更する必要がある場合には、上記のような操作を毎回行わなければならず非効率的である。
【０００６】
本発明は、この問題を解決して、簡単な操作で所望の画面を表示させることができる測定装置を提供することを目的としている。
【０００７】
【課題を解決するための手段】
前記目的を達成するために、本発明の測定装置は、
複数の回線に対する測定を並行して行えるように多チャネル化され、チャネル毎に予め設定された測定項目およびパラメータにしたがって測定を行い、チャネル毎に測定結果を出力する測定部（２１）と、
ポインティングデバイスを含む操作部（２２）と、
表示器（２４）と、
前記測定部が行う測定に必要なパラメータを設定するための設定画面と、測定の結果を表すための測定結果画面とを含む複数種の画面のうちのいずれかで、前記操作部のポインティングデバイスの操作によって選択されたチャネルと、該選択されたチャネルについて前記ポインティングデバイスによって選択された測定項目とで決まる所望画面を、前記表示器に選択的に表示させる表示制御手段（２８）とを備えた測定装置において、
前記操作部には、チャネルと測定項目の情報を含み表示画面の種別を表す画面種別情報の記憶と読み出しとを行うための複数の特定キー（２３ａ〜２３ｃ）が含まれており、
前記表示制御手段は、
前記画面種別情報を記憶するためのメモリ（３０）と、
前記設定画面と測定結果画面とを含む複数種の画面のうちのいずれかで、且つチャネルと測定項目とで決まる任意の画面が表示されている状態で、前記特定キーのいずれかに対して所定時間以上の押し操作がなされたときに前記表示器に表示されている画面の画面種別情報を、該操作された特定キーに対応する前記メモリのアドレスに記憶する画面種別記憶手段（３１）と、
前記設定画面と測定結果画面とを含む複数種の画面のうちのいずれかで、且つチャネルと測定項目とで決まる任意の画面が表示されている状態で、前記特定キーのいずれかに対して前記所定時間未満の押し操作がなされたとき、該操作された特定キーに対応する前記メモリのアドレスに記憶されている画面種別情報を読み出す画面種別読出手段（３２）とを有し、
前記画面種別読出手段が読み出した画面種別情報の種別を判定し、該種別が設定画面を示すときには、該読み出した画面種別情報に含まれるチャネルと測定項目について前記測定部に設定されている最新のパラメータを取得し、これを表示内容とする設定画面を前記表示器に表示させ、前記種別が測定結果画面を示すときには、該読み出した画面種別情報に含まれるチャネルと測定項目について前記測定部が出力する最新の測定結果を取得し、これを表示内容とする測定結果画面を前記表示器に表示させるように構成されていることを特徴としている。
【０００８】
【発明の実施の形態】
以下、図面に基づいて本発明の実施の形態を説明する。
図１は本発明を適用した測定装置２０の構成を示している。
【０００９】
図１において、測定部２１は、予め設定されたパラメータに基づいて測定対象に対する測定を行い、その測定結果を出力するためのものであり、例えばこの測定装置２０が前記したようにディジタル回線やネットワークの品質を測定する測定装置である場合、この測定部２１は、複数の回線に対して複数種類（例えば誤り率、ワンダ、ジッタ等）の測定を並行して行えるように多チャネル化され、各チャネル毎に測定項目およびパラメータの設定が可能になっており、チャネル毎の測定結果を出力できるようになっている。
【００１０】
操作部２２には、ポインティングデバイスとしてのマウス２２ａ、テンキーやアップダウンキー等を含むキー２２ｂ（外部接続のキーボードでもよい）の他に、表示画面の種別を表す画面種別情報の記憶と読み出しを行うための複数（この例では３つ）の特定キー２３ａ、２３ｂ、２３ｃが設けられている。
【００１１】
表示器２４は、例えば液晶表示器からなり、制御部２５の制御によって各種画面を表示する。なお、この表示器２４は、操作部２２のキー２２ｂおよび特定キー２３ａ〜２３ｃとともに、この測定装置２０の筐体（図示せず）の一面側に設けられている。
【００１２】
制御部２５は、図示していないがＣＰＵ、ＲＯＭ、ＲＡＭ、ハードディスクおよび各種のインタフェースによって構成され、その機能をブロック化して示すと、図１に示しているように、測定部２１に対するパラメータの設定処理を行うためのパラメータ設定手段２６、測定部２１の測定結果に対する分析処理を行うための分析手段２７および表示制御手段２８を有している。
【００１３】
表示制御手段２８は、前記したように、パーソナルコンピュータ等で使用されているフォルダの階層化構造と操作部２２のマウス２２ａを用いて、パラメータを設定するための設定画面、測定結果を表示するための測定結果画面、分析結果を表示するための分析結果画面等の複数種の画面のうちのいずれかを選択的に表示器２４に表示させる。
【００１４】
この表示制御手段２８には、上記した従来の画面の制御機能を実現する手段の他に、表示画面の種別を示す画面種別情報を記憶するためのメモリ３０と、特定キー２３ａ、２３ｂ、２３ｃのいずれかに対して第１の特定操作、例えば１秒以上押し続ける操作がなされたとき、表示器２４に表示させている画面の種別を示す画面種別情報をその操作された特定キーに対応するメモリ３０のアドレスに記憶する画面種別記憶手段３１と、特定キー２３ａ、２３ｂ、２３ｃのいずれかに対して第２の特定操作、例えば１秒未満の押し操作がなされたとき、その操作された特定キーに対応するメモリ３０のアドレスに記憶されている画面種別情報を読み出す画面種別読出手段３２とを有しており、画面種別読出手段３２が読み出した画面種別情報に対応する種別の画面の内容表示に必要な情報を測定部２１から取得し、その取得情報を用いて、読み出した種別の画面を表示器２４に表示させる。
【００１５】
次に、この実施形態の測定装置２０の制御部２５の動作を、図２〜図５のフローチャートに基づいて説明する。
【００１６】
始めに、マウス操作による従来の画面の切替制御について説明すると、測定装置２０の起動時に表示制御手段２８は、例えば図６に示すように、「パラメータ設定」、「測定結果」および「分析結果」の各項目と、これらの項目にそれぞれ従属するチャネル名ＣＨ１、ＣＨ２、…からなる基本画面を表示器２４に表示させる（Ｓ１）。
【００１７】
ここで、オペレータがマウス２２ａの操作で例えば「パラメータ設定」の項目に従属するチャネル名のうち所望のチャネルＣＨｘを選択すると、表示制御手段２８は、例えば図７のように、選択されたチャネルＣＨｘについて選択可能な測定項目Ｋ１、Ｋ２、…のいずれかを選択させるための測定項目選択画面を表示器２４に表示させる（Ｓ２〜Ｓ４）。
【００１８】
この測定項目選択画面でオペレータがマウス２２ａの操作で例えば測定項目Ｋｉを選択すると、チャネルＣＨｘについて測定項目Ｋｉの測定に必要なパラメータＰａ、Ｐｂ、…を設定、選択するための設定画面を例えば図８に示すように表示器２４に表示させる（Ｓ５、Ｓ６）。なお、図８の設定画面のパラメータ値ａ１〜ａ４、ｂ１〜ｂ３、…のうち、ハッチングで囲まれたパラメータ値が現在の選択値である。
【００１９】
オペーレータがこの設定画面でマウス２２ａやキー２２ｂの操作によってチャネルＣＨｘの測定項目Ｋｉについての各種パラメータを異なる所望の値に変更すると、制御部２５のパラメータ設定手段２６はこの変更されたパラメータを測定部２１に設定する（Ｓ７、Ｓ８）。
【００２０】
なお、図７に示した測定項目選択画面および図８に示した設定画面には、前画面に戻るための戻りキー２２ｃが表示されており、測定項目選択画面の戻りキー２２ｃをマウス２２ａで選択すると図６の基本画面に戻り、設定画面の戻りキー２２ｃをマウス２２ａで選択すると図７の測定項目選択画面に戻る（Ｓ９、Ｓ１０）。
【００２１】
このような手順で所望のチャネルについて所望の測定項目を選択してパラメータを設定してから、キー２２ｂの操作等によって測定の開始を指示すると、制御部２５は、測定部２１に対して測定を開始させ、画面を基本画面に戻す（Ｓ１１、Ｓ１２）。
【００２２】
また、図３に示しているように、基本画面が表示されているときに「測定結果」に従属するチャネル名のうち所望のチャネルＣＨｘが選択されると、表示制御手段２８は、前記図７と同様に選択されたチャネルＣＨｘについての測定項目選択画面を表示器２４に表示させ、この測定項目選択画面で測定項目Ｋｉが選択されると、選択されたチャネルＣＨｘの測定項目Ｋｉについての測定結果を例えば図９のように表示器２４に表示させる（Ｓ１３〜Ｓ１６）。なお、図９では、時刻毎の２つの測定データＹ、Ｚを測定結果として表示している。
【００２３】
また、図４に示しているように、基本画面が表示されているときに「分析結果」に従属するチャネル名のうち所望のチャネルＣＨｘが選択されると、表示制御手段２８は、前記図７と同様に選択されたチャネルＣＨｘについての測定項目選択画面を表示器２４に表示させ、この測定項目選択画面で測定項目Ｋｉが選択されると、選択されたチャネルＣＨｘの測定項目Ｋｉについての測定結果に対する分析手段２７の分析結果を、例えば図１０のように、表示器２４に表示させる（Ｓ１９〜Ｓ２１）。なお、図１０では、前記した２つの測定データＹ、Ｚに演算によって決まる値Ｆ（Ｙ、Ｚ）をグラフ化したものである。
【００２４】
また、図９に示した測定結果画面および図１０に示した分析結果画面には、前記同様に前画面に戻るための戻りキー２２ｃが表示されており、測定結果画面および分析結果画面の戻りキー２２ｃをマウス２２ａで選択すると基本画面に戻る（Ｓ１７、Ｓ１８、Ｓ２２、Ｓ２３）。
【００２５】
このような従来の画面切替制御では、前記したように、例えばあるチャネルについての分析結果画面を表示している状態から別のチャネルの設定画面に移る場合、現在の分析結果画面で戻りキー２２ｃを操作して基本画面に戻り、「パラメータ設定」の項目に従属するチャネルから移行したいチャネルを選択し、測定項目を選択するという作業が必要となるが、この測定装置２０の場合には、図２の処理Ｓ２４〜Ｓ２６、図３の処理Ｓ２７〜Ｓ２９、図４の処理Ｓ３０〜Ｓ３２のように、設定画面、測定結果画面または分析結果画面のいずれかが表示されているときに、特定キー２３ａ〜２３ｃのいずれかに対して１秒以上押し続ける第１の特定操作がなされると、そのときに表示器２４に表示されている画面の種別を示す画面種別情報（チャネルおよび測定項目情報を含む）がその操作された特定キーに対応するメモリ３０のアドレスに記憶される。
【００２６】
そして、設定画面、測定結果画面または分析結果画面が表示されているときに、特定キー２３ａ〜２３ｃのいずれかを１秒未満押す第２の特定操作がなされると、図５に示しているように、その操作された特定キーに対応するメモリ３０のアドレスに記憶されている画面種別情報が読み出され、この画面種別情報が示す種別の画面の内容表示に必要な情報が測定部２１から取得されて、読み出した画面種別情報と取得情報とを用いて画面種別情報に対応する画面を表示器２４に表示させる（Ｓ３３〜Ｓ３８）。
【００２７】
例えば、あるチャネルＣＨｘについてのある測定項目Ｋｉのパラメータの設定画面が表示されている状態で、特定キー２３ａを１秒以上押し続けると、表示器２４に表示されている画面の種別を示す画面種別情報Ｄｐ（ｘ、ｉ）が、操作された特定キー２３ａに対応するメモリ３０のアドレスＡ１に記憶される。
【００２８】
また、あるチャネルＣＨｘについてのある測定項目Ｋｉの測定結果が表示されている状態で、特定キー２３ｂを１秒以上押し続けると、表示器２４に表示されている画面の種別を示す画面種別情報Ｄｍ（ｘ、ｉ）が、その操作された特定キー２３ｂに対応するメモリ３０のアドレスＡ２に記憶される。
【００２９】
また、あるチャネルＣＨｘについてのある測定項目Ｋｉの分析結果が表示されている状態で、特定キー２３ｃを１秒以上押し続けると、表示器２４に表示されている画面の種別を示す画面種別情報Ｄａ（ｘ、ｉ）が、その操作された特定キー２３ｃに対応するメモリ３０のアドレスＡ３に記憶される。
【００３０】
そして、表示器２４に任意の画面が表示されているときに、例えば特定キー２３ａに対して１秒未満の押し操作がなされると、その特定キー２３ａに対応するメモリ３０のアドレスＡ１に記憶されている画面種別情報Ｄｐ（ｘ、ｉ）が読み出され、その種別がチャネルＣＨｘの測定項目Ｋｉについてパラメータの設定画面であることが確認されて、測定部２１におけるチャネルＣＨｘの測定項目Ｋｉについての現段階のパラメータが取得され、チャネルＣＨｘの測定項目Ｋｉについて現段階のパラメータを内容とする設定画面が、前記した図８のように表示器２４に表示される。
【００３１】
同様に、表示器２４に任意の画面が表示されているときに、例えば特定キー２３ｂに対して１秒未満の押し操作がなされると、その特定キー２３ｂに対応するメモリ３０のアドレスＡ２に記憶されている画面種別情報Ｄｍ（ｘ、ｉ）が読み出され、その種別がチャネルＣＨｘの測定項目Ｋｉについて測定結果の画面であることが確認されて、測定部２１におけるチャネルＣＨｘの測定項目Ｋｉについての現段階の測定結果データが取得され、チャネルＣＨｘの測定項目Ｋｉについて現段階の測定結果データを内容とする測定結果画面が、前記した図９のように表示器２４に表示される。
【００３２】
さらに、表示器２４に任意の画面が表示されているときに、特定キー２３ｃに対して１秒未満の押し操作がなされると、その特定キー２３ｃに対応するメモリ３０のアドレスＡ３に記憶されている画面種別情報Ｄａ（ｘ、ｉ）が読み出され、その種別がチャネルＣＨｘの測定項目Ｋｉについて分析結果の画面であることが確認されて、測定部２１におけるチャネルＣＨｘの測定項目Ｋｉについての現段階の測定結果データが取得され、チャネルＣＨｘの測定項目Ｋｉについて現段階の測定結果データに基づく分析結果を内容とする分析結果画面が、前記した図１０のように表示器２４に表示される。
【００３３】
このように、実施形態の測定装置２０では、任意の画面が表示器２４に表示されているときに、特定キー２３ａ〜２３ｃのいずれかに対して第１の特定操作がなされると、そのとき表示されている画面の種別情報をその操作された特定キーに対応付けて記憶し、任意の画面が表示器２４に表示されているときに、特定キー２３ａ〜２３ｃのいずれかに対して第２の特定操作がなされると、その操作された特定キーに対応付けて記憶されている画面種別情報を読み出して、その種別の画面の内容表示に必要な測定部２１の最新の情報を取得し、その取得情報を用いた画面を表示器２４に表示している。
【００３４】
このため、従来のように、マウス２２ａによる複数回の選択操作をすることなく、特定キー２３ａ〜２３ｃに対する一回の操作で測定部２１の最新の状態に対応した所望の画面を呼び出すことができる。
【００３８】
【発明の効果】
以上説明したように、本発明の測定装置は、
複数の回線に対する測定を並行して行えるように多チャネル化され、チャネル毎に予め設定された測定項目およびパラメータにしたがって測定を行い、チャネル毎に測定結果を出力する測定部（２１）と、
ポインティングデバイスを含む操作部（２２）と、
表示器（２４）と、
前記測定部が行う測定に必要なパラメータを設定するための設定画面と、測定の結果を表すための測定結果画面とを含む複数種の画面のうちのいずれかで、前記操作部のポインティングデバイスの操作によって選択されたチャネルと、該選択されたチャネルについて前記ポインティングデバイスによって選択された測定項目とで決まる所望画面を、前記表示器に選択的に表示させる表示制御手段（２８）とを備えた測定装置において、
前記操作部には、チャネルと測定項目の情報を含み表示画面の種別を表す画面種別情報の記憶と読み出しとを行うための複数の特定キー（２３ａ〜２３ｃ）が含まれており、
前記表示制御手段は、
前記画面種別情報を記憶するためのメモリ（３０）と、
前記設定画面と測定結果画面とを含む複数種の画面のうちのいずれかで、且つチャネルと測定項目とで決まる任意の画面が表示されている状態で、前記特定キーのいずれかに対して所定時間以上の押し操作がなされたときに前記表示器に表示されている画面の画面種別情報を、該操作された特定キーに対応する前記メモリのアドレスに記憶する画面種別記憶手段（３１）と、
前記設定画面と測定結果画面とを含む複数種の画面のうちのいずれかで、且つチャネルと測定項目とで決まる任意の画面が表示されている状態で、前記特定キーのいずれかに対して前記所定時間未満の押し操作がなされたとき、該操作された特定キーに対応する前記メモリのアドレスに記憶されている画面種別情報を読み出す画面種別読出手段（３２）とを有し、
前記画面種別読出手段が読み出した画面種別情報の種別を判定し、該種別が設定画面を示すときには、該読み出した画面種別情報に含まれるチャネルと測定項目について前記測定部に設定されている最新のパラメータを取得し、これを表示内容とする設定画面を前記表示器に表示させ、前記種別が測定結果画面を示すときには、該読み出した画面種別情報に含まれるチャネルと測定項目について前記測定部が出力する最新の測定結果を取得し、これを表示内容とする測定結果画面を前記表示器に表示させるように構成されていることを特徴としている。
【００３９】
このため、マウス等のポインティングデバイスによる複数回の選択操作をすることなく、特定キーのみに対する一回の操作で測定部の最新の状態に対応した所望の画面種別情報の記憶と呼び出しを行うことができ、測定対象に対する評価等を効率的に行うことができる。
【図面の簡単な説明】
【図１】本発明の実施形態の構成を示すブロック図
【図２】実施形態の動作を説明するためのフローチャート
【図３】実施形態の動作を説明するためのフローチャート
【図４】実施形態の動作を説明するためのフローチャート
【図５】実施形態の動作を説明するためのフローチャート
【図６】実施形態の表示画面の一例を示す図
【図７】実施形態の表示画面の一例を示す図
【図８】実施形態の表示画面の一例を示す図
【図９】実施形態の表示画面の一例を示す図
【図１０】実施形態の表示画面の一例を示す図
【符号の説明】
２０  測定装置
２１  測定部
２２  操作部
２２ａ  マウス
２２ｂ  キー
２２ｃ  戻りキー
２３ａ〜２３ｃ  特定キー
２４  表示器
２５  制御部
２６  パラメータ設定手段
２７  分析手段
２８  表示制御手段
３０  メモリ
３１  画面種別記憶手段
３２  画面種別読出手段
【図１】
0003542979.tif 000002
【図２】
0003542979.tif 000003
【図３】
0003542979.tif 000004
【図４】
0003542979.tif 000005
【図５】
0003542979.tif 000006
【図６】
0003542979.tif 000007
【図７】
0003542979.tif 000008
【図８】
0003542979.tif 000009
【図９】
0003542979.tif 000010
【図１０】
0003542979.tif 000011